(57)【特許請求の範囲】
【請求項１】
アウトソール；
前記アウトソールの上部に配列され、ガイド部を持つアッパーソール；
前記アウトソールと連結される第１支持体と、前記アッパーソールと連結され、前記ガイド部に対応する案内部を持つ第２支持体とを含む支持部材；
前記支持部材の第１及び第２支持体の間に配列される弾性部材；及び
前記支持部材の第１及び第２支持体と連結され、前記ガイド部及び前記第２支持体の案内部を通じて昇降するサポート部材；
を含んでなる、組立性及び作動性能が向上した衝撃吸収履物。
【請求項２】
前記支持部材の第１支持体及び第２支持体には、それぞれ、弾性部材と結合される第１固定体及び第２固定体がさらに備えられ、
前記第１固定体と前記サポート部材には固定手段がさらに備えられていることを特徴とする、請求項１に記載の組立性及び作動性能が向上した衝撃吸収履物。
【請求項３】
前記固定手段は、
前記第１固定体の下面部に形成された挿入溝と、
前記サポート部材の下端部に形成され、前記挿入溝に対応する挿入孔と、
前記挿入孔に挿通され、前記挿入溝に定着される固定ピンとを含んでなることを特徴とする、請求項２に記載の組立性及び作動性能が向上した衝撃吸収履物。
【請求項４】
前記第２固定体には前記第２支持体の案内部に相応する対応案内部がさらに備えられ、
前記第２固定体の対応案内部と前記サポート部材には離脱防止手段がさらに備えられていることを特徴とする、請求項２または３に記載の組立性及び作動性能が向上した衝撃吸収履物。
【発明の詳細な説明】
【技術分野】
【０００１】
本発明は弾性部材の離脱及び分離の防止のためのサポート部材を備えて衝撃吸収履物の耐久性を高め、
歩行の際、弾性部材が圧縮及び圧縮してから復元するときのサポート部材の相対的な動き、つまり昇降する場合、アッパーソール、支持部材の第２支持体にそれぞれガイド部と案内部が形成されてサポート部材の相対的な動作、を収容しガイドして弾性部材とサポート部材の作動信頼性を保障し、
ひいては弾性部材と、これを上部及び下部で固定する支持部材を、サポート部材で易しく簡便に結合させることができ、従来の衝撃吸収履物に比べて組立作業が易しく、組立時間を減らして生産性を高めることができ、
さらにサポート部材の解体だけで各構成を容易に分離できて維持保守のための作業が容易であって作業能率を向上させることができる、組立性及び作動性能が向上した衝撃吸収履物に関する。
【背景技術】
【０００２】
一般に、履物は人の足を保護し、一定の衝撃に対する衝撃吸収の役目をすることにより、足の疲れを軽減させる役目をすることになる。現在は、このような足の保護と履物の機能的な側面が強調された多様な形態の機能性履物が紹介されている。特に、衝撃緩和のための履物の場合には、弾性変形するコイルスプリングの維持保守を便利にするために多様な形態のコイルスプリングが製作されている。
【０００３】
従来、コイルスプリングを履物に組立てるためには、コイルスプリングそのものを履物の踵部に内蔵するか、あるいは一定の支持部材を使い、ボルトまたは支持部材にコイルスプリングを挿入して結合させる方法が採用されている。
【０００４】
しかし、前記のような従来の組立方法では、コイルスプリングの安定した支持を保障しにくく、
また一定の荷重が加わってコイルスプリングが圧縮される場合、コイルスプリング間の接触によってひどい衝撃が伝達されて破損及び損傷されるなどの問題があり、
さらに破損されたコイルスプリングの入れ替え及び修理のための不必要な事後作業による経済的な負担の問題があり、
何よりもこれによる消費者の信頼性に致命的な損傷を加える問題がある。
【発明の概要】
【発明が解決しようとする課題】
【０００５】
本発明は前記のような問題点を解決するためになされたもので、
弾性部材の離脱及び分離の防止のためのサポート部材を備えて衝撃吸収履物の耐久性を高め、
歩行の際、弾性部材が圧縮及び圧縮してから復元するとき、サポート部材の相対的な動き、つまり昇降する場合、アッパーソール、支持体の第２支持体にそれぞれガイド部及び案内部を形成してサポート部材の相対的な動作を収容しガイドして弾性部材とサポート部材の作動信頼性を保障し、
ひいては、弾性部材と、これを上部及び下部で固定する支持部材をサポート部材で易しく簡便に結合させて、従来の衝撃吸収履物に比べて組立作業が易しく、組立時間を減らして生産性を高めることができ、
また、サポート部材の解体だけで各構成の分離が易しくて維持保守のための作業が容易であり、作業能率を向上させることができる、
組立性及び作動性能が向上した衝撃吸収履物を提供することを第１目的とする。
【０００６】
そして、本発明による支持部材の第１支持体と結合される第１固定体とサポート部材の下端部には固定手段を備えることで、歩行の際に加わる振動や衝撃によってサポート部材が解けたりその結合が緩むことを防止して製品の信頼性を保障することができる、
また、固定手段による各構成間の組立及び分離の作業が易しく簡便で生産性及び作業能率をもう一層アップグレードさせることができる、
組立性及び作動性能が向上した衝撃吸収履物を提供することを他の目的とする。
【０００７】
さらに、支持部材の第２支持体と結合される第２固定体とサポート部材の上端部には離脱防止手段を備えて、サポート部材の昇降動作の際、第２固定体とサポート部材間の分離、離脱を防止して使用者が安心して使うことができる、組立性及び作動性能が向上した衝撃吸収履物を提供することをさらに他の目的とする。
【課題を解決するための手段】
【０００８】
本発明による組立性及び作動性能が向上した衝撃吸収履物は、
アウトソール；
前記アウトソールの上部に配列され、ガイド部を持つアッパーソール；
前記アウトソールと連結される第１支持体と、前記アッパーソールと連結され、前記ガイド部に対応する案内部を持つ第２支持体とを含む支持部材；
前記支持部材の第１及び第２支持体の間に配列される弾性部材；及び
前記支持部材の第１及び第２支持体と連結され、前記ガイド部及び前記第２支持体の案内部を通じて昇降するサポート部材；を含んでなる。
【０００９】
そして、本発明による前記支持部材の第１及び第２支持体には、弾性部材と結合される第１及び第２固定体がさらに備えられ、前記第１固定体と前記サポート部材には固定手段がさらに備えられていることを特徴とする。
【００１０】
また、本発明による前記固定手段は、
前記第１固定体の下面部に形成された挿入溝と、
前記サポート部材の下端部に形成され、前記挿入溝に対応する挿入孔と、
前記挿入孔に挿通され、前記挿入溝に定着される固定ピンとを含んでなることを特徴とする。
【００１１】
また、本発明による前記第２固定体には、前記第２支持体の案内部に相応する対応案内部がさらに備えられ、前記第２固定体の対応案内部と前記サポート部材には離脱防止手段がさらに備えられていることを特徴とする。
【発明の効果】
【００１２】
本発明による組立性及び作動性能が向上した衝撃吸収履物は、
弾性部材の離脱及び分離の防止のためのサポート部材を備えて衝撃吸収履物の耐久性を高め、
歩行の際、弾性部材が圧縮及び圧縮してから復元するとき、サポート部材の相対的な動き、つまり昇降する場合、アッパーソール、支持部材の第２支持体にそれぞれガイド部と案内部が形成されてサポート部材の相対的な動作を収容しガイドして、弾性部材とサポート部材の作動信頼性を保障し、
さらに、弾性部材と、これを上部及び下部で固定する支持部材を、サポート部材によって易しく簡便に結合させることができ、従来の衝撃吸収履物に比べて組立作業を易しくし、組立時間を減らして生産性を高めることができ、
また、サポート部材の解体だけで各構成の分離が易しくて維持保守のための作業が容易であり、作業能率を向上させることができる。
【００１３】
そして、本発明による支持部材の第１支持体と結合される第１固定体とサポート部材の下端部には固定手段を備えて、歩行時に加わる振動や衝撃によってサポート部材が解けたりあるいはその結合が緩むことを防止して製品の信頼性を保障することができ、
また、固定手段による各構成間の組立及び分離の作業が易しくて簡便であり、生産性及び作業能率を一層アップグレードさせることができる。
【００１４】
ひいては、支持部材の第２支持体と結合される第２固定体とサポート部材の上端部には離脱防止手段を備えて、サポート部材の昇降動作の際、第２固定体とサポート部材間の分離離脱を防止することにより、使用者が安心して使うことができる。
【図面の簡単な説明】
【００１５】
【図１】本発明による組立性及び作動性能が向上した衝撃吸収履物を示す斜視図である。
【図２】本発明による組立性及び作動性能が向上した衝撃吸収履物を示す分解断面図である。
【図３】本発明による衝撃吸収履物を示す断面図である。
【図４】本発明による衝撃吸収履物を示す側面図である。
【図５】本発明による衝撃吸収履物の固定体、弾性部材及びサポート部材を示す側面図である。
【図６】本発明による衝撃吸収履物の固定手段及び離脱防止手段を示す分解斜視図である。
【図７】本発明による衝撃吸収履物における固定手段の変形例を示す分解斜視図である。
【発明を実施するための形態】
【００１６】
本発明による組立性及び作動性能が向上した衝撃吸収履物を添付図面に基づいて詳細に説明する。
【００１７】
図１〜図７に示すように、本発明による組立性及び作動性能が向上した衝撃吸収履物は、
アウトソール１０；
前記アウトソール１０の上部に配列され、ガイド部２１を持つアッパーソール２０；
前記アウトソール１０と連結される第１支持体３０Ａと、
前記アッパーソール２０と連結され、前記ガイド部２１に対応する案内部３３を持つ第２支持体３０Ｂとを含む支持部材３０；
前記支持部材３０の第１支持体３０Ａ及び第２支持体３０Ｂの間に配列される弾性部材４０；及び
前記支持部材３０の第１支持体３０Ａ及び第２支持体３０Ｂと連結され、前記ガイド部２１及び前記第２支持体３０Ｂの案内部３３を通じて昇降するサポート部材５０；
を含んでなる。
【００１８】
図１〜図４に示すように、本発明による組立性及び作動性能に優れた衝撃吸収履物において、前記アウトソール１０は、その上面部に支持部材３０の第１支持体３０Ａの下面部がボンドまたは強力接着剤で堅固に付着され、直接地面に接触することになる。したがって、前記アウトソール１０の底面には、地面と直接接触する部分に衝撃吸収と地面との接触時の滑り防止のために弾性を持つエラストマー、ポリウレタン、ゴム材質のような素材を使うことが好ましい。
【００１９】
また、前記アウトソール１０は、弾性及び滑り防止のために、前記のように素材そのものが持つ特性はもちろんのこと、底面に多数の突起または凹凸でなった突出部１１が形成されているので、前記のような弾性及び滑り防止のためのより向上した機能性を保有するようになる。そして、前記アウトソール１０は足の足先部及び踵部が連結された一体型に形成される。
【００２０】
前記アウトソール１０が足先部及び踵部に分割された分離型である場合は、石や突出物にかかって歩行者が倒れる危険があり、さらに、このような物体がその隙間に詰まって歩行を不便にする問題が発生するので、前記アウトソール１０を一体型にすることにより、前記のような問題を解決することができることになる。
【００２１】
図１〜図４に示すように、本発明による組立性及び作動性能が向上した衝撃吸収履物において、前記アッパーソール２０は、前記アウトソール１０の上部に配列され、その下面部には支持部材３０の第２支持体３０Ｂの上面部がボンドまたは強力接着剤で堅固に付着され、使用者の足裏と直接接触するかまたはその上面部に中敷が載せられる。そして、前記アッパーソール２０の上部には本体ＳＢが連結されて使用者の足元を包むことにより、歩行または運動するとき、使用者の足を保護して安全性を保障することができる。
【００２２】
本発明によるアッパーソール２０には、弾性部材４０が配置される足裏の踵部分の４箇所に、孔形状のガイド部２１が形成される。
【００２３】
前記ガイド部２１は、弾性部材４０内側に配列され、支持部材３０の第１支持体３０Ａ及び第２支持体３０Ｂと結合されたサポート部材５０が昇降する場合、サポート部材５０の上端部分を案内する役目をする。すなわち、前記ガイド部２１は、歩行の際に弾性部材４０が圧縮するかあるいは圧縮してから復元する過程で、弾性部材４０に対して相対的な昇降動作を行うサポート部材５０を収容してサポート部材５０の動作信頼性を保障することができるようにする。
【００２４】
図１〜図６に示すように、本発明による組立性及び作動性能が向上した衝撃吸収履物において、前記支持部材３０は、前記アウトソール１０の上面部と前記アッパーソール２０の下面部に付着されるとともに弾性部材４０と結合されることにより、弾性部材４０を固定させる役目をする。本発明による前記支持部材３０は、第１支持体３０Ａ及び第２支持体３０Ｂを含んでなり、前記第１支持体３０Ａは前記アウトソール１０の上面部に連結され、前記第２支持体３０Ｂは前記アッパーソール２０の下面部に連結される。
【００２５】
そして、前記第２支持体３０Ｂには前記アッパーソール２０のガイド部２１に対応する案内部３３が孔形状に備えられることで、前記サポート部材５０の昇降の際、前記案内部３３がサポート部材５０をガイドしてサポート部材５０の動作信頼性を保障することができるようになる。
【００２６】
そして、前記第１支持体３０Ａ及び第２支持体３０Ｂには、弾性部材４０が配置される部分に環状突起３２が形成され、前記環状突起３２の内側に弾性部材４０のための収容部３１がそれぞれ形成される。
【００２７】
また、本発明による前記支持部材３０において、
前記第１支持体３０Ａ及び第２支持体３０Ｂの各収容部３１には、円盤状の第１及び第２固定体３５、３７が接着剤または締まりばめ方式で固定結合され、前記第１固定体３５は弾性部材４０の下端部と結合され、前記第２固定体３７は弾性部材４０の上端部と結合される。
【００２８】
前記第１固定体３５及び第２固定体３７は、周縁に環状の突条部３５ｄ、３７ｄがそれぞれ形成され、前記各突条部３５ｄ、３７ｄの内側には、収納部３５ｅ、３７ｅが形成され、前記各収納部３５ｅ、３７ｅの中心部には嵌合部３５ｃ、３７ｃが形成されることで、弾性部材４０を第１及び第２固定体３５、３７と結合させる場合、前記各収納部３５ｅ、３７ｅに弾性部材４０が結合されながら弾性部材４０の各端部の外側は前記各突条部３５ｄ、３７ｄの内壁面に接触し、
同時に、弾性部材４０の各端部内側は前記各嵌合部３５ｃ、３７ｃの外壁面とそれぞれ接触することで、弾性部材４０の上端部及び下端部が、それぞれ、各突条部３５ｄ、３７ｄ、収納部３５ｅ、３７ｅ及び嵌合部３５ｃ、３７ｃによって固定支持されることにより、部材間の離脱及び分離現象を防止することができるようになる。
【００２９】
この場合、前記第１及び第２固定体３５、３７と弾性部材４０は締まりばめされるか、または接着剤付着の方式で固定されることができる。前記第１固定体３５及び第２固定体３７の構造的な特徴に鑑みると、組立便宜性のために弾性部材４０が第１及び第２固定体３５、３７に締まりばめされる方式を取ることが有利である。
【００３０】
また、前記第２固定体３７の嵌合部３７ｃの下面部には突出支持部３６が形成され、弾性部材４０が圧縮される場合、前記突出支持部３６の下面部が前記第１固定体３５の上面部と接触することになる。この際、前記突出支持部３６は、前記第１固定体３５及び第２固定体３７を一定以上の間隔に維持するため、コイルスプリング４１でなった弾性部材４０が歩行時にコイルの巻線間が接触して衝突することにより相互間に加わった衝撃による破損を防止することができるようになる。
【００３１】
そして、図２、図３及び図６において、前記突出支持部３６は前記第２固定体３７の嵌合部３７ｃの下面に形成されているが、添付図面に図示されていないが、前記突出支持部は前記第１固定体の嵌合部の上面部に形成されることで、弾性部材が圧縮される場合、前記第２固定体の嵌合部の下面部に接触して互いに離隔距離を維持するにより、同一機能を果たすことも可能である。
【００３２】
また、前記突出支持部３６の内側には前記第２支持体３０Ｂの案内部３３に相応する対応案内部３７ａが形成されることにより、サポート部材５０の昇降の際、前記対応案内部３７ａがサポート部材５０をガイドしてサポート部材５０の動作信頼性を保障することができるようになる。すなわち、前記アッパーソール２０のガイド部２１、前記第２支持体３０Ｂの案内部３３及び前記第２固定体３７の対応案内部３７ａは相互に連通しているので、サポート部材５０の昇降の際、サポート部材５０がこれらを通じて昇降するようになり、また、前記ガイド部２１、案内部３３及び対応案内部３７ａがサポート部材５０の安定的で、相互に干渉しない動作を可能とする。
【００３３】
図１〜図６に示すように、本発明による組立性及び作動性能が向上した衝撃吸収履物において、前記弾性部材４０は、前記支持部材３０の第１及び第２支持体３０Ａ、３０Ｂの間に配列されて、歩行の際、踵部に加わる衝撃を吸収及び緩和して使用便宜性と足の疲労感を減らすことができるようにする。本発明による弾性部材４０は、例えば、コイルスプリング４１であり、その下端部及び上端部はそれぞれ第１及び第２固定体３５、３７に結合される。
【００３４】
この場合前記コイルスプリング４１は、各固定体３５、３７の突条部３５ｄ、３７ｄの内壁面、収納部３５ｅ、３７ｅ及び嵌合部３５ｃ、３７ｃによって堅固に結合固定される。したがって、前記コイルスプリング４１は、使用者が履物を履いた状態で歩行するとか、あるいは運動や作業をする場合、着用者の体重による荷重が履物を介して地面に伝達されれば、それに対する反作用によって地面からの衝撃が上方に、つまり歩行者に伝達される衝撃を、コイルスプリング４１の弾性で吸収及び緩和するようになる。したがって、使用者が長時間にわたって歩行や運動をするとかまたは作業を行う場合にも、足の疲労感だけではなく、全身加わる衝撃を吸収及び緩和することにより、元気で便利な機能性を倍加させることができるようになる。
【００３５】
そして前記コイルスプリング４１は、断面四角形になることが好ましい。なぜなら、荷重によってコイルスプリング４１が圧縮される場合、上部及び下部に配列されたスプリング同士衝突することができる。この場合、コイルスプリング４１の断面が円形になった場合には、相互間の衝突によってコイルスプリング４１の外周面が破損される危険があるが、コイルスプリング４１の断面を四角形に形成する場合には、相互間の衝突の際、平面と平面が接触することにより、相互間の衝突によるスプリングの損傷を最小化させることができるようになる。
【００３６】
図１〜図６に示すように、本発明による組立性及び作動性能が向上した衝撃吸収履物において、前記サポート部材５０は、前記支持部材３０の第１支持体３０Ａ及び第２支持体３０Ｂの間に連結され、歩行時に弾性変形を繰り返す弾性部材４０の分離及び離脱を防止する。言い替えれば、本発明によるサポート部材５０は前記第１支持体３０Ａ及び第２支持体３０Ｂにそれぞれ結合固定された第１固定体３５及び第２固定体３７に連結される。
【００３７】
この場合、前記サポート部材５０の下端部は前記第１固定体３５に結合固定され、前記サポート部材５０の上端部は前記第２固定体３７に連結されて昇降動作するようになる。すなわち、前記サポート部材５０は、その上端部に形成されたヘッド部５１と、前記ヘッド部５１の下面に連結された胴体部５３と、その下端部に設けられた結合部５５とを備える。
【００３８】
この際、前記結合部５５は前記第１固定体３５と固定手段ＦＭによって連結固定され、前記ヘッド部５１は前記第２固定体３７に形成された対応案内部３７ａに収容されるとともに、離脱防止手段ＳＰによって前記サポート部材５０が弾性部材４０の動作時に第２固定体３７から分離離脱することが防止される。
【００３９】
まず、図２〜図６に示すように、前記サポート部材５０と前記第１固定体３５が前記固定手段ＦＭによって固定される構成は、
前記第１固定体３５にはその中心部に貫通孔３５ｂが形成され、
前記貫通孔３５ｂの下部両側に相互に対称になるように形成された挿入溝３５ａと、
前記サポート部材５０の下端部に形成された結合部５５に形成された挿入孔５５ａと、
前記サポート部材５０を貫通孔３５ｂに挿入した後、前記挿入孔５５ａに挿入されて前記挿入溝３５ａに定着させる固定ピン６０とを含んでなる。
【００４０】
すなわち、前記固定手段ＦＭは、サポート部材５０の下端部を前記第１固定体３５に固定させる場合、前記のように、固定手段ＦＭによってサポート部材５０と第１固定体３５をより易しく便利に結合させることができ、また、結合後には、歩行時に加わる振動や衝撃によってサポート部材５０と第１固定体３５の結合が緩むことを防止することができるようにする。
【００４１】
これは、前記固定手段ＦＭの固定ピン６０がサポート部材５０の挿入孔５５ａに挿入された後、前記第１固定体３５の挿入溝３５ａに定着されることにより、歩行時に加わる振動や衝撃によってサポート部材５０が回転することを防止するように固定させる役目をすることで可能となる。
【００４２】
添付の図７には前記固定手段ＦＭの変形例を示している。これは、前記第１固定体３５の貫通孔３５ｂの内周面に雌ネジ部３５ｆが形成され、前記サポート部材５０の結合部５５に雄ネジ部５５ｂが形成されたもので、サポート部材５０を回転させて固定体に結合固定させるように構成されている。この場合、前記サポート部材５０のヘッド部５１の上面部には一字若しくは十字、またはこれらの両方が形成されることで、締結工具によって締結及び分離できるようにすることが好ましい。
【００４３】
ついで、図２〜図７に示すように、前記サポート部材５０と前記第２固定体３７が前記離脱防止手段ＳＰによって結合固定される構成は、
前記第２固定体３７の対応案内部３７ａの下部に係止部３７ｂが形成され、
前記係止部３７ｂは 前記第２固定体３７の突出支持部３６の下面部に形成され、
前記突出支持部３６の中心部には前記対応案内部３７ａの直径よりは小さいが前記胴体部５３の直径よりは大きい孔３７ｆが形成され、
前記係止部３７ｂは前記孔３７ｆの周囲に段差部の形態で備えられる。
したがって、前記孔３７ｆにはサポート部材５０の胴体部５３が挿通され、弾性部材４０の圧縮及び圧縮の後に復元するとき、前記胴体部５３が孔３７ｆを通じて動作することができ、
前記胴体部５３の上端に連結されたヘッド部５１は、弾性部材４０が全て復元して前記弾性部材４０が全て伸ばされた場合、前記係止部３７ｂに前記サポート部材５０のヘッド部５１がかかることで支持されることにより、前記サポート部材５０が前記第２固定体３７から分離及び離脱することを防止することができるようになる。
【００４４】
以上、添付図面に基づいて本発明による組立性及び作動性能が向上した衝撃吸収履物を説明するに当たり、特定の形状及び方向を基準として説明したが、本発明は当業者によって多様な変形及び変更が可能であり、このような変形及び変更は本発明の権利範囲に含まれるものに解釈されなければならない。
【符号の説明】
【００４５】
１０      アウトソール
１１      突出部
２０      アッパーソール
２１      ガイド部
３０      支持部材
３０Ａ      第１支持体
３０Ｂ      第２支持体
３１      収容部
３２      環状突起
３３      案内部
３５      第１固定体
３５ａ      挿入溝
３５ｂ      貫通孔
３５ｆ      雌ネジ部
３６      突出支持部
３７      第２固定体
３７ａ      対応案内部
３７ｂ      係止部
３５ｃ、３７ｃ    嵌合部
３５ｄ、３７ｄ    突条部
３５ｅ、３７ｅ    収納部
３５ｆ      雌ネジ部
３７ｆ        孔
４０      弾性部材
４１      コイルスプリング
５０      サポート部材
５１      ヘッド部
５３      胴体部
５５      結合部
５５ａ      挿入孔
５５ｂ      雄ネジ部
６０      固定ピン
ＦＭ      固定手段
ＳＰ      離脱防止手段
ＳＢ      本体
【図１】
0005481601.tif 000002
【図２】
0005481601.tif 000003
【図３】
0005481601.tif 000004
【図４】
0005481601.tif 000005
【図５】
0005481601.tif 000006
【図６】
0005481601.tif 000007
【図７】
0005481601.tif 000008